(57)【要約】【課題】  一般的なフックであっても、遠隔操作できるフック用の開閉操作具、及び該フックと開閉操作具とを備えるフックセットを提供することを課題とする。【解決手段】  湾曲状であり、先端部と基端部との間に形成されたフック開口部に構造物に掛脱可能なフック部と、該フック開口部を開閉すべく該フック部に枢結された開閉部と、前記フック部の基端部と物品とを連結する長尺状のフック連結部とを備えるフックの開閉部を開閉操作する開閉操作具であって、前記フック部と前記開閉部とを筒状の筒状本体部で包囲し且つ該筒状本体部内に前記フック連結部を内部に配置した状態で該筒状本体部をフック部に対してスライドさせた際に、前記筒状本体部に設けられた開閉係合部を前記開閉部に係合させてフック開口部を開閉するフック用の開閉操作具、及び前記フックと該開閉操作具とを備えるフックセット。【選択図】図３
2018091384.tif 000002
【特許請求の範囲】
【請求項１】
吊り対象の物品を構造物に吊るすためのフックであって、湾曲状に形成され且つ湾曲の先端部と基端部との間が構造物に対して掛脱可能なフック開口部となっているフック部と、該フック部のフック開口部を開閉すべく、一端部が該フック部の先端部に対して接離するようにして他端部が該フック部の基端部に回転可能に設けられる開閉部と、前記フック部の基端部に設けられ、且つ物品と前記フック部とを連結する長尺状のフック連結部とを備えるフックの前記開閉部を開閉操作するための開閉操作具であって、前記フック部の基端部と前記開閉部の他端部とを包囲可能な筒状であり、且つ前記フック部の基端部と前記開閉部の他端部とを包囲した状態で前記開閉部の他端部側から一端部側に向けてスライド可能に構成される筒状本体部と、該筒状本体部をスライド操作するための長尺な操作具に連結可能な連結部とを備え、該筒状本体部には、前記フック連結部を前記筒状本体部の内外に出し入れ可能なスリットが筒中心軸線方向に沿って形成され、前記筒状本体部は、前記開閉部の他端部から一端部に向かうスライドに伴って、前記開閉部を開方向に回動させるべく、前記開閉部に係合する開閉係合部を有するフック用の開閉操作具。
【請求項２】
前記筒状本体部は、筒内面が筒中心軸線方向における一端側から他端側へかけて拡径するように構成され、前記筒状本体部の拡径角度は、閉じた状態の前記開閉部の前記他端部を頂点とする前記開閉部と前記フック部との開き角度よりも小さく設定され、前記筒内面が前記スライドに伴って前記開閉部と前記フック部とに係合する開閉係合部である請求項１に記載のフック用の開閉操作具。
【請求項３】
前記スリットは、前記筒中心軸線方向における前記筒状本体部の他端部側でのスリット幅が、前記筒中心軸線方向における前記筒状本体部の一端部側でのスリット幅よりも広くなっている請求項１又は請求項２に記載のフック用の開閉操作具。
【請求項４】
前記筒状本体部の前記筒中心軸線方向における他端には、前記筒中心軸線方向に直交する径外方向に向けて延出する延出片部が設けられた請求項１乃至請求項３の何れか１項に記載のフック用の開閉操作具。
【請求項５】
前記フックは、前記開閉部の回転動作を規制可能な規制構造を備え、該規制構造は、前記フック部の前記基端部に対して押込可能であるロック操作部と、該ロック操作部に対する押込操作に伴って前記開閉部の回転動作に対する規制を解除し、且つ前記フック部の前記基端部に対する押込操作の解除に伴って前記開閉部の回転動作を規制するロック構造とを有し、前記筒状本体部は、前記スライドに伴い、前記筒内面で前記ロック操作部を押込操作するように構成される請求項２に記載のフック用の開閉操作具。
【請求項６】
請求項１乃至請求項５の何れか１項に記載の前記開閉操作具と前記フックとを備えるフックセット。
【発明の詳細な説明】
【技術分野】
【０００１】
本発明は、物品を構造物に吊るすフックを遠隔操作するためのフック用の開閉操作具、及び該フックと開閉操作具とを備えるフックセットに関する。
【背景技術】
【０００２】
従来から、例えば、種々の道具や袋等の部品を構造物に吊るすためのフックが知られており、かかるフックには、特許文献１に開示されているように、作業者の手元から離れた場所での設置及び回収を可能としたものがある。
【０００３】
具体的に説明すると、特許文献１に記載のフックは、図７に示すように、構造物Ｃに掛止可能であるとともに、吊るす対象となる物品を連結可能であるフック部５０と、棒状であり且つ長手方向における中央部がフック部５０の基端部側に回転可能に連結された開閉部５１と、該開閉部５１を操作するための操作部５２とを備えている。
【０００４】
フック部５０は、湾曲した形状であり構造物Ｃに掛止するための掛止部５００と、該掛止部５００の湾曲周方向における一端部（基端部）から延出する背部５０１と、該背部５０１の先端に設けられた連結部５０２であって、物品を連結するための連結部５０２とを有する。
【０００５】
開閉部５１は、上述のように、長手方向における中央部がフック部５０の基端部側に回転可能に連結されているため、長手方向における一端部側がフック部５０との連結位置から掛止部５００の湾曲周方向における他端部（先端部）に向けて延出し、開閉部５１の長手方向における他端部側がフック部５０から外方に向けて延出している。
【０００６】
操作部５２は、筒状であり、開閉部５１の長手方向における他端部に取り付けられている。
【０００７】
従来のフック５を設置又は回収するには、長尺な操作棒６を連結可能な開閉操作具７であって、操作部５２内に挿通した状態で該操作部５２を係止可能である開閉操作具７が用いられており、操作部５２内に挿通した開閉操作具７を上下動させて開閉部５１を開閉している。
【先行技術文献】
【特許文献】
【０００８】
【特許文献１】特開２０００−３２３号公報
【発明の概要】
【発明が解決しようとする課題】
【０００９】
ところで、上述の開閉操作具７は、遠隔操作するための特殊な構造のフック５に合わせて構成されているため、この開閉操作具７を使用する場合は、上述のフック５を専用品として準備しておく必要があるうえに、他の種別のフック５（既存のフック５）には適用することができなかった。
【００１０】
従って、従来のフック５は、遠隔操作による設置や回収が可能であるが、手軽に使用できないため、遠隔操作するための専用の形状でない一般的なフック５であっても操作できるようにすることが望まれている。
【００１１】
そこで、本発明は、かかる実情に鑑み、一般的なフックであっても、遠隔操作できるフック用の開閉操作具、及び該フックと開閉操作具とを備えるフックセットを提供することを課題とする。
【課題を解決するための手段】
【００１２】
本発明のフック用の開閉操作具は、吊り対象の物品を構造物に吊るすためのフックであって、湾曲状に形成され且つ湾曲の先端部と基端部との間が構造物に対して掛脱可能なフック開口部となっているフック部と、該フック部のフック開口部を開閉すべく、一端部が該フック部の先端部に対して接離するようにして他端部が該フック部の基端部に回転可能に設けられる開閉部と、前記フック部の基端部に設けられ、且つ物品と前記フック部とを連結する長尺状のフック連結部とを備えるフックの前記開閉部を開閉操作するための開閉操作具であって、前記フック部の基端部と前記開閉部の他端部とを包囲可能な筒状であり、且つ前記フック部の基端部と前記開閉部の他端部とを包囲した状態で前記開閉部の他端部側から一端部側に向けてスライド可能に構成される筒状本体部と、該筒状本体部をスライド操作するための長尺な操作具に連結可能な連結部とを備え、該筒状本体部には、前記フック連結部を前記筒状本体部の内外に出し入れ可能なスリットが筒中心軸線方向に沿って形成され、前記筒状本体部は、前記開閉部の他端部から一端部に向かうスライドに伴って、前記開閉部を開方向に回動させるべく、前記開閉部に係合する開閉係合部を有する。
【００１３】
上記構成のフック用の開閉操作具によれば、操作具を連結部に連結し、さらに、フック連結部をスリットから筒状本体部内に入れた後に、筒状本体部をフック部の基端部と開閉部の他端部とを包囲するようにセットする。
【００１４】
そして、操作具を操作して筒状本体部を開閉部の他端部側から一端部側にスライドさせる。このとき、筒状本体部の開閉係合部が開閉部に係合するため、開閉部が開方向に回動してフック開口部が開かれる。
【００１５】
さらに、操作具を操作して筒状本体部を開閉部の一端部側から他端部側にスライドさせると、開閉部に対する開閉係合部の係合状態が解除されるため、開閉部が閉方向に回動してフック開口部が閉じられる。
【００１６】
このように、前記開閉操作具は、筒状本体部によってフックの開閉部を開閉操作できるように構成されている。
【００１７】
本発明のフック用の開閉操作具において、前記筒状本体部は、筒内面が筒中心軸線方向における一端側から他端側へかけて拡径するように構成され、前記筒状本体部の拡径角度は、閉じた状態の前記開閉部の前記他端部を頂点とする前記開閉部と前記フック部との開き角度よりも小さく設定され、前記筒内面が前記スライドに伴って前記開閉部と前記フック部とに係合する開閉係合部であってもよい。
【００１８】
かかる構成によれば、前記筒状本体部の拡径角度が前記開閉部と前記フック部との開き角度よりも小さく設定されるため、筒状本体部をフック部の基端部と開閉部の他端部とを包囲するようにセットした後に操作具を操作して開閉操作具を開閉部の他端部側から一端部側にスライドさせている最中に開閉係合部が開閉部に係合し易くなる。従って、上記構成のフック用の開閉操作具は、開閉部の開閉操作を行い易くすることができる。
【００１９】
本発明のフック用の開閉操作具において、前記スリットは、前記筒中心軸線方向における前記筒状本体部の他端部側でのスリット幅が、前記筒中心軸線方向における前記筒状本体部の一端部側でのスリット幅よりも広くなっていてもよい。
【００２０】
かかる構成によれば、フックの挿入口となる収容空間の前記筒状本体部の一端部側の開口を広くすることができるため、フックを収容空間内に挿入し易くすることができる。
【００２１】
また、本発明のフック用の開閉操作具において、前記筒状本体部の前記筒中心軸線方向における他端には、前記筒中心軸線方向に直交する径外方向に向けて延出する延出片部が設けられていてもよい。
【００２２】
かかる構成によれば、筒状本体部を開閉部の他端部側から一端部側にスライドさせた際に、収容空間から外れた位置にフックが配置されていても、該フックを延出片部で受けることができるため、フックを収容空間と対応する位置に戻し易くすることができる。
【００２３】
さらに、本発明のフック用の開閉操作具において、前記フックは、前記開閉部の回転動作を規制可能な規制構造を備え、該規制構造は、前記フック部の前記基端部に対して押込可能であるロック操作部と、該ロック操作部に対する押込操作に伴って前記開閉部の回転動作に対する規制を解除し、且つ前記フック部の前記基端部に対する押込操作の解除に伴って前記開閉部の回転動作を規制するロック構造とを有し、前記筒状本体部は、前記スライドに伴い、前記筒内面で前記ロック操作部を押込操作するように構成されてもよい。
【００２４】
かかる構成によれば、開閉部の回転動作を規制可能なフックであっても、筒状本体部を開閉部の他端部側から一端部側にスライドさせることで、開閉部の回転動作を解除したうえで開閉部を開くことができ、また、筒状本体部を開閉部の他端部側から一端部側にスライドさせることで、開閉部を閉じたうえで開閉部の回転動作を規制することができる。
【００２５】
本発明のフックセットは、上記何れかの開閉操作具とフックとを備える。
【００２６】
上記構成のフックセットにおいても、操作具を連結部に連結し、さらに、フック連結部をスリットから筒状本体部内に入れた後に、筒状本体部をフック部の基端部と開閉部の他端部とを包囲するようにセットし、さらに、操作具を操作して筒状本体部を開閉部の他端部側から一端部側にスライドさせると、開閉係合部が開閉部に係合することによって、開閉部が開方向に回動してフック開口部が開かれる。
【００２７】
また、操作具を操作して筒状本体部を開閉部の一端部側から他端部側にスライドさせると、開閉部に対する開閉係合部の係合状態が解除されるため、開閉部が閉方向に回動してフック開口部が閉じられる。
【００２８】
このように、上記構成のフックセットは、開閉操作具の筒状本体部によってフックの開閉部を開閉操作できるように構成されている。
【発明の効果】
【００２９】
以上のように、本発明のフック用の開閉操作具、及びフックセットによれば、一般的なフックであっても遠隔操作できるという優れた効果を奏し得る。
【図面の簡単な説明】
【００３０】
【図１】図１において、（ａ）は本発明の一実施形態に係るフック用の開閉操作具の正面図であり、（ｂ）は同実施形態に係るフック用の開閉操作具を挿入口側から見た図である。
【図２】図２は、同実施形態に係るフック用の開閉操作具の筒状本体部内にフック連結部を挿入した状態の説明図である。
【図３】図３は、同実施形態に係るフック用の開閉操作具の筒状本体部を前記開閉部の他端部側から一端部側に向けてスライドさせた状態の説明図である。
【図４】図４において、（ａ）は、同実施形態に係るフック用の開閉操作具を構造物に設置した状態の説明図であり、（ｂ）は、同実施形態に係るフック用の開閉操作具を回収する作業の説明図である。
【図５】図５は、同実施形態に係るフック用の開閉操作具で遠隔操作できる別のフックの説明図である。
【図６】図６は、同実施形態に係るフック用の開閉操作具で遠隔操作できるさらに別のフックの説明図である。
【図７】図７は、従来のフック及び該フックの操作具の説明図である。
【発明を実施するための形態】
【００３１】
以下、本発明の一実施形態にかかるフック用の開閉操作具について、添付図面を参照しつつ説明する。
【００３２】
フック用の開閉操作具（以下、開閉操作具という）は、図４（ａ）に示すように、構造物Ｃに物品Ｏを吊るすためのフック４を遠隔操作するためのものである。
【００３３】
なお、構造物Ｃとは、鉄塔や電柱などの腕金、架線、足場等のことである。また、物品Ｏとは、例えば、工事等で使用する工事袋や工事用具等のことである。また、本実施形態では、鉄塔や電柱等に昇って作業を行う高所作業で開閉操作具を使用することを前提として以下の説明を行うこととする。
【００３４】
開閉操作具の説明に先立ち、フック４の説明を行う。フック４は、構造物Ｃに掛止可能なフック部４０と、棒状であり且つ長手方向で一端部がフック部４０の先端部に対して接離するようにして、長手方向の他端部がフック部４０の基端部に回転可能に設けられた開閉部４１と、物品Ｏとフック部４０とを連結する長尺状のフック連結部４２と、前記開閉部４１の回転を規制可能な規制構造４３とを備えている。
【００３５】
フック部４０は、湾曲状に形成されており、湾曲の先端部と基端部との間が構造物に対して掛脱可能なフック開口部Ｇとなっている。すなわち、フック部４０は、湾曲の先端部を構造物Ｃに掛止可能となっている。
【００３６】
本実施形態に係るフック部４０は、図２に示すように、湾曲した形状の掛止部４００と、該掛止部４００の湾曲周方向における一端部から延出する背部４０１と、背部４０１の先端に設けられている取付部４０２とを有する。
【００３７】
フック部４０の先端部は、掛止部４００で構成され、フック部４０の基端部は取付部４０２で構成されている。
【００３８】
開閉部４１の他端部は、フック部４０の先端部と基端部とが並ぶ方向（以下、縦方向という）に直交する方向（以下、奥行方向という）に沿って延びる回転軸Ｐ１によって取付部４０２に対して回転可能に連結されている。
【００３９】
開閉部４１は、一端部（回転軸Ｐ１の軸心）を回転中心とする回転動作に伴い、長手方向における他端部がフック部４０の先端部（掛止部４００の湾曲周方向における他端部）に対して内周側から係合した閉状態（すなわち、フック開口部Ｇを閉じた状態）と、該他端部がフック部４０の先端部から離間した開状態（すなわち、フック開口部Ｇを開いた状態）とに切り替わるように構成されている。すなわち、開閉部４１は、回転軸Ｐ１の軸心を回転中心とする回転動作に伴い、フック開口部Ｇを開閉するように構成されている。
【００４０】
また、開閉部４１は、回転軸Ｐ１の軸心を中心とする周方向における一方向側に向けて付勢されており、常態においては閉状態となるように構成されている。
【００４１】
さらに、閉状態の開閉部４１と背部４０１とは、互いに交差する方向に延びるように構成されており、フック部４０の基端部側からフック部４０の先端部側になるにつれて、前記縦方向及び前記奥行方向のそれぞれの方向に対して直交する方向（以下、開閉方向という）における互いの間隔が徐々に広がっている。
【００４２】
これに伴い、本実施形態に係るフック４は、前記開閉方向における開閉部４１の外側面から背部４０１の外側面までの幅も、フック部４０の基端部側からフック部４０の先端部側になるにつれて広がっている。
【００４３】
フック連結部４２は、索条や、棒状の部材で構成することができ、長手方向における一端がフック部４０の基端部（取付部４０２）に連結され、長手方向における他端が物品Ｏに連結されるように構成されている。なお、本実施形態に係るフック連結部４２は、索条であるロープで構成されている。
【００４４】
規制構造４３は、フック部４０の背部４０１に対して押込可能に設けられるロック操作部４３０と、該ロック操作部４３０に対する押込操作に伴って前記開閉部４１の回転動作に対する規制を解除し、且つ前記フック部４０の基端部に対する押込操作の解除に伴って前記開閉部４１の回転動作を規制するロック構造４３１とを有する。
【００４５】
ロック操作部４３０は、前記奥行き方向に沿って延びる支軸Ｐ２によって背部４０１に対して回転可能に連結されており、背部４０１との連結位置を起点として取付部４０２側に延出した形状となっている。そのため、規制構造４３では、ロック操作部４３０の先端部に対する前記横幅方向での押込操作又は該押込操作の解除に伴って、ロック構造４３１が開閉部４１の回転動作に対する規制の解除又は開閉部４１の回転動作を規制するように構成されている。
【００４６】
ロック構造４３１は、開閉部４１に突設された被ガイド軸４３１ａと、ロック操作部４３０に形成された溝孔４３１ｂであって、該被ガイド軸４３１ａが挿通された溝孔４３１ｂとで構成されている。
【００４７】
被ガイド軸４３１ａは、開閉部４１の他端部側に設けられている。
【００４８】
溝孔４３１ｂは、ロック操作部４３０に対する押込操作が解除されている状態において被ガイド軸４３１ａが挿通される係合溝４３１ｃと、該係合溝４３１ｃに連続し且つロック操作部４３０が押込操作されている状態において被ガイド軸４３１ａを挿通可能なスライド溝４３１ｄとで構成されている。なお、係合溝４３１ｃは前記横幅方向に延びており、スライド溝４３１ｄは前記縦方向に延びている。
【００４９】
開閉操作具１は、図１（ａ）に示すように、フック部４０の基端部と開閉部４１の他端部とを包囲可能な筒状であり、且つフック部４０の基端部と開閉部４１の他端部とを包囲した状態で開閉部４１の他端部から一端部に向けて（フック部４０の基端部側から先端部側に向けて）スライド可能に構成される筒状本体部２と、該筒状本体部２に設けられた連結部３であって、筒状本体部２をスライド操作するための長尺な操作具Ｔを連結可能な連結部３とを備えている。
【００５０】
筒状本体部２は、弾性を有するとともに、厚みが全体に亘って略一定となるように構成されている。筒状本体部２は、フック４を囲むカバー部２０と、開閉部４１の他端部から一端部に向かうスライドに伴って、開閉部４１を開方向に回動させるべく、開閉部４１に係合する開閉係合部２１と、該カバー部２０の外面から延出する延出片部２２とを有する。
【００５１】
カバー部２０は、図１（ｂ）に示すように、筒状に形成されており、内部の空間が、フック４を収容可能な収容空間２００となっている。また、カバー部２０には、自身の筒中心軸線方向（以下、軸線方向という）の全長に亘って真っ直ぐにスリット２０１が形成されている。
【００５２】
収容空間２００は、前記軸線方向におけるカバー部２０の一端と他端とで開放する空間である。すなわち、筒状本体部２は、中空状であるとともに、前記軸線方向における両端に開口が形成されている。なお、本実施形態では、筒状本体部２の前記軸線方向における一端側の開口を挿入口Ｈ１、筒状本体部２の前記軸線方向における他端側の開口を取出口Ｈ２と称して以下の説明を行うこととする。
【００５３】
また、収容空間２００は、カバー部２０の径方向（以下、径方向という）においてスリット２０１と連通している。これにより、カバー部２０は、前記軸線方向におけるカバー部２０の一端側から収容空間２００にフック部４０の基端部と開閉部４１の他端部とを挿入可能であり、また、スリット２０１を通じて収容空間２００内にフック連結部４２を出入可能となっている。
【００５４】
また、スリット２０１は、筒状本体部２の一端側で横幅（スリット幅）が拡がるように形成されており、これにより、筒状本体部２の挿入口Ｈ１が広く確保されている。
【００５５】
本実施形態に係るカバー部２０は、前記軸線方向に直交する横幅方向において間隔をあけて並ぶ一対の側部２０２と、該一対の側部２０２のそれぞれに連設されている連設部２０３と、前記側部２０２に設けられるとともに、前記横幅方向において間隔をあけて並ぶ一対の覆部２０４とを有する。
【００５６】
側部２０２は、前記横幅方向において隣り合う側部２０２と対向する内側面２０２ａを有する。また、前記横幅方向における一対の内側面２０２ａの間隔は、挿入口Ｈ１側から取出口Ｈ２側になるにつれて徐々に狭くなっている。すなわち、カバー部２０の筒内面２００ａは、取出口Ｈ２側から挿入口Ｈ１側にかけて拡径（前記横幅方向において拡径）するように構成されている。なお、本実施形態では、カバー部２０自体が取出口Ｈ２側から挿入口Ｈ１側にかけて拡径（前記横幅方向において拡径）している。
【００５７】
このため、収容空間２００の前記横幅方向における幅（横幅）は、挿入口Ｈ１側から取出口Ｈ２側になるにつれて徐々に狭くなっている。
【００５８】
これにより、筒状本体部２は、筒内面２００ａが前記軸線方向における一端側から他端側へかけて、前記幅方向において拡径するように構成されており、さらに、該筒状本体部２の拡径角度が、閉状態の開閉部４１の他端部を頂点とする開閉部４１とフック部４０との開き角度よりも小さくなるように構成されている。
【００５９】
連設部２０３は、平らに形成されており、一方の平面（カバー部２０の内面の一部を構成する一面）には、側部２０２が立設されている（図１（ｂ）においては、側部２０２が連設部２０３の一方の平面から垂下するように図示されている）。本実施形態では、連設部２０３の一方の平面を内底面２０３ａとして以下の説明を行うこととする。
【００６０】
各覆部２０４は、それぞれ個別の側部２０２に連設されている。また、覆部２０４は、側部２０２の先端（連設部２０３に連続している基端とは反対側の一端）に連設されている。
【００６１】
本実施形態において、一対の覆部２０４は、側部２０２の先端から前記横幅方向において互いに接近するように延出しており、該一対の覆部２０４の先端の間には、隙間が形成されている。そして、この隙間により、スリット２０１が構成されている。
【００６２】
また、覆部２０４は、内底面２０３ａに対して前記軸線方向及び前記横幅方向に直交する方向（以下、厚み方向という）で対向する内天面２０４ａを有する。
【００６３】
なお、前記厚み方向における内底面２０３ａと内天面２０４ａとの間隔は、フック４の厚みと同一又は略同一となるように設定してもよいし、収容空間２００の内外にフック４を出し入れできれば、フック４の厚みよりも僅かに小さくなるように設定されていてもよい。
【００６４】
本実施形態に係るカバー部２０では、側部２０２の内側面２０２ａと、連設部２０３の内底面２０３ａと、覆部２０４の内天面２０４ａと、がそれぞれ連続しており、これにより、一つの筒内面２００ａが構成されている。
【００６５】
開閉係合部２１は、連設部２０３の内底面２０３ａによって構成されている。すなわち、開閉係合部２１は、筒内面２００ａの一部によって構成されている。
【００６６】
延出片部２２は、覆部２０４から前記径方向における外方（すなわち、径外方向）に向けて延出している。また、覆部２０４は、挿入口Ｈ１周りにおいて、一方の側部２０２と他方の側部２０２とに一つずつ設けられている。
【００６７】
また、延出片部２２は、前記軸線方向における挿入口Ｈ１の前方側に向くようにして形成された誘導面２２０を有する。
【００６８】
連結部３は、筒状本体部２の外面に設けられている。本実施形態に係る連結部３は、連設部２０３の外面に設けられたベース部３０と、該ベース部３０に設けられ且つ操作具Ｔを着脱可能な着脱部３１とを有する。なお、本実施形態において、着脱部３１には操作具Ｔとしての絶縁操作棒が連結可能である。
【００６９】
本実施形態に係る開閉操作具１の構成は、以上の通りである。続いて、開閉操作具１を用いたフック４の設置方法及び回収方法について説明する。
【００７０】
開閉操作具１でフック４を設置する場合、図２に示すように、フック部４０の基端部に連結されているフック連結部４２を、スリット２０１からカバー部２０内（収容空間２００内）に挿入する。このとき、フック連結部４２は、取出口Ｈ２を通じて収容空間２００外に延びた状態になっている。
【００７１】
そして、筒状本体部２全体をフック部４０の基端部側からフック部４０の先端部側に向かう方向にスライドさせる。このようにすると、図３に示すように、フック４がフック部４０の基端部側から挿入口Ｈ１を通り、収容空間２００内に収容される。
【００７２】
上述のように、収容空間２００の横幅（前記横幅方向における一対の内側面２０２ａの間隔）は、挿入口Ｈ１側から離れるにつれて徐々に狭くなっているうえに、筒状本体部２の拡径角度が、閉状態の開閉部４１の他端部を頂点とする開閉部４１とフック部４０との開き角度よりも小さくなっているため、フック４がカバー部２０に対して深く挿入される途中の段階で、一方の内側面２０２ａによってロック操作部４３０がフック部４０に対して押し込まれる。これに伴い、被ガイド軸４３１ａとロック操作部４３０における係合溝４３１ｃを画定する部分との係合状態が解除される。すなわち、ロック操作部４３０による開閉部４１の回転動作に対する規制が解除される。
【００７３】
そして、フック４がカバー部２０に対してさらに深く挿入されると、一方の内側面２０２ａがロック操作部４３０に当接した状態のまま、他方の内側面２０２ａが開閉部４１に当接する。これに伴い、開閉部４１は、他方の内側面２０２ａによって押込操作されるため、該開閉部４１の先端部がフック部４０の先端部（掛止部４００の先端部）に係合した状態からフック部４０の先端部から離間した状態に切り替わる。すなわち、開閉部４１が閉状態から開状態に切り替わる。
【００７４】
これにより、筒状本体部２は、開閉部４１が開状態に切り替えられているフック４を保持した状態（すなわち、一対の内側面２０２ａでフック４を保持した状態）になる。そして、作業者は、操作具Ｔを操作することによって筒状本体部２をフック４とともに設置位置まで移動させた後、フック４の姿勢（向き）を変えながら掛止部４００を構造物Ｃに引っ掛ける。
【００７５】
この状態で、操作具Ｔを引き操作すると、フック４に対して筒状本体部２が作業者の手元側に引き寄せられる。すなわち、筒状本体部２がフック４の先端部側から基端部側に向かう方向にスライドする。
【００７６】
これに伴い、開閉部４１に対する他方の側部２０２（他方の内側面２０２ａ）による押込操作が緩まる。そのため、該開閉部４１は、他端部がフック部４０の先端部（掛止部４００の湾曲周方向における他端部）に対して接近するように回転し、該他端部がフック部４０の先端部に対して内周側から係合した閉状態に切り替わる。
【００７７】
この状態で、操作具Ｔをさらに引き操作すると、ロック操作部４３０に対しては、一方の内側面２０２ａが前記横幅方向において徐々に離間しようとする。そして、一方の内側面２０２ａがロック操作部４３０から完全に離れると、開閉部４１の回転がロック操作部４３０により再び規制される。
【００７８】
そして、筒状本体部２がフック４から完全に外れた状態にした後に、スリット２０１を通じてフック連結部４２を収容空間２００外に出すことで、筒状本体部２をフック連結部４２からも完全に取り外す。
【００７９】
このようにして、フック４を作業者の手元から離れた場所に設置することができる（図４（ａ）参照）。
【００８０】
開閉操作具１を用いて作業者の手元から離れた場所に設置されているフック４を回収するには、操作具Ｔを操作して筒状本体部２をフック４の近くまで移動させた後にスリット２０１を通じてフック連結部４２を収容空間２００内に挿入するか、若しくはスリット２０１を通じてフック連結部４２を収容空間２００内に挿入した後に、該フック連結部４２に沿わせて筒状本体部２をフック４の近くまで移動させる。
【００８１】
なお、フック４を上方から回収しようとする場合は、フック連結部４２を引き上げた後に、スリット２０１を通じてフック連結部４２を収容空間２００内に挿入してもよい（図４（ｂ）参照）。
【００８２】
そして、筒状本体部２全体をフック部４０の基端部側からフック部４０の先端部側に向かう方向にスライドさせると、フック４がフック部４０の基端部側から挿入口Ｈ１を通り、収容空間２００内に収容される。これに伴い、被ガイド軸４３１ａとロック操作部４３０における係合溝４３１ｃを画定する部分との係合状態が解除される。すなわち、ロック操作部４３０による開閉部４１の回転動作に対する規制が解除される。
【００８３】
そして、フック４がカバー部２０に対してさらに深く挿入されると、一方の内側面２０２ａがロック操作部４３０に当接した状態のまま、他方の内側面２０２ａが開閉部４１に当接する。これに伴い、開閉部４１が他方の内側面２０２ａによって押込操作されて閉状態から開状態に切り替わり、筒状本体部２がフック４（開閉部４１が開状態に切り替えられたフック４）を保持した状態になる。
【００８４】
そして、作業者が操作具Ｔを操作することによってフック４の姿勢（向き）を変えながら掛止部４００を構造物Ｃから取り外した後に、筒状本体部２をフック４とともに手元まで引き寄せる。
【００８５】
このようにして、作業者の手元から離れた場所に設置されているフック４が回収される。
【００８６】
以上のように、本実施形態に係るフック４によれば、フック４の開閉部４１を筒状本体部２によって直接的に開閉操作できるため、一般的なフック４であっても、遠隔操作できる。
【００８７】
さらに、開閉部４１の回転動作を規制可能なフック４であっても、筒状本体部２をフック部４０の基端部側から先端部側に向けてスライドさせることで、開閉部４１の回転動作を解除したうえで開閉部４１を開くことができ、また、筒状本体部２をフック部４０の先端部側から基端部側に向けてスライドさせることで、開閉部４１を閉じたうえで開閉部４１の回転動作を規制することができるため、開閉部４１の回転動作を規制可能なフック４であっても遠隔操作することができる。
【００８８】
また、開閉操作具１では、前記横幅方向における収容空間２００の幅が、前記筒状本体部２の一端と他端との間の位置において、前記横幅方向における前記開閉部４１の外側面から前記フック部４０の外側面までの横幅よりも小さくなっているため、フック４を筒状本体部２に対して挿し込み切る前に開閉部４１を閉状態から開状態に切り替えることができる。すなわち、開閉部４１を確実に閉状態から開状態に切り替えることができる。
【００８９】
さらに、開閉操作具１において、スリット２０１は、筒状本体部２の一端部側における前記横幅方向での幅が、前記筒状本体部２の前記他端部側における前記横幅方向での幅よりも広くなっているため、フック４の挿入口Ｈ１となる収容空間２００の前記筒状本体部２の一端部側の開口を広くすることができ、これにより、フック４を収容空間２００内に挿入し易くすることができる。
【００９０】
さらに、筒状本体部２の一端側におけるスリット２０１を画定する部分には、外方に向けて延出する延出片部２２が設けられているため、筒状本体部２をフック部４０の基端部側から先端部側に向けてスライドさせた際に、収容空間２００から外れた位置にフック４が配置されていても、該フック４を延出片部２２で受け止めることができるため、フック４を収容空間２００と対応する位置に戻し易くすることができる。
【００９１】
さらに、筒状本体部２は、弾性を有するとともに、厚みが全体に亘って略一定となるように構成されているため、フック４の外形に合わせて弾性変形することで、様々な形状のフック４に対応することができ、また、弾性変形に伴って生じる弾性力によってフック４に対する保持力を高めることができる。
【００９２】
また、筒状本体部２の内筒面２００ａには、前記厚み方向において対向する内底面２０３ａと内天面２０４ａとが含まれているため、フック４の厚み方向における一方側と他方側とに内底面２０３ａと内天面２０４ａとを配置した状態で、筒状本体部２をフック４に対してスライドさせることができる。
【００９３】
このようにすると、筒状本体部２がフック４の前記奥行方向における一方側と他方側とにガイドされながらスライドすることになるため、筒状本体部２をフック４に対してスライドさせ易くすることができる。
【００９４】
また、前記厚み方向における内底面２０３ａと内天面２０４ａとの間隔がフック４の厚みよりも僅かに小さくなるように設定されている場合は、収容空間２００内に配置したフック４を連設部２０３の内底面２０３ａと、覆部２０４の内天面２０４ａとで挟むことができるため、収容空間２００内からのフック４の脱落を防止することもできる。
【００９５】
なお、本発明のフック用の開閉操作具は、上記一実施形態に限定されるものではなく、本発明の要旨を逸脱しない範囲において種々変更を行うことは勿論である。
【００９６】
上記実施形態において、開閉操作具１は、開閉部４１の閉状態への切り替え、及び開閉部４１の回転の規制により構造物Ｃからの脱落を防止するフック４を遠隔操作の対象としていたが、例えば、図５に示すように、開閉部４１の閉状態への切り替えのみで構造物Ｃからの脱落を防止するように構成されたフック４を遠隔操作の対象としてもよい。
【００９７】
上記実施形態において、開閉操作具１は、ロック操作部４３０を前記横幅方向においてフックの背部４０１に対して押込操作することで開閉部４１の回転動作に対する規制を解除するフック４を遠隔操作の対象としていたが、例えば、図６に示すように、ロック操作部４３０を前記奥行方向においてフックの背部４０１に対して押込操作することで開閉部４１の回転動作に対する規制を解除するフック４を遠隔操作の対象としてもよい。
【００９８】
なお、図６に示すロック操作部４３０は、フック部４０（背部４０１）内に配置された抜止板部４３０ａと、該抜止板部４３０ａから上方に向けて延出するロック用延出部４３０ｂとを有するように構成されている。なお、かかるロック操作部４３０では、背部４０１内に設置されている付勢部材Ｓによって抜止板部４３０ａが上方に向けて付勢されている。
【００９９】
ロック用延出部４３０ｂの外面には、抜止板部４３０ａから起立する起立面４３０ｃと、該起立面４３０ｃの先端から延出する湾曲面４３０ｄとが含まれている。湾曲面４３０ｄは、先端側になるにつれてロック用延出部４３０ｂの中央部側に向かうように湾曲している。
【０１００】
また、開閉部４１には、前記横幅方向において内方向側に向けて延出するロックレバー４４が設けられており、該ロックレバー４４の先端部に形成されている凹部にロック用延出部４３０ｂ（起立面４３０ｃ）を係合することで開閉部４１の回転動作を規制でき、凹部に対するロック用延出部４３０ｂ（起立面４３０ｃ）の係合状態を解除することで開閉部４１の回転動作に対する規制を解除することができる。
【０１０１】
上記構成のフック４の開閉部４１を開閉操作具１で開閉操作するには、筒状本体部２をフック部４０の基端部側から先端部側に向けてスライドさせたときに、側部２０２の内側面２０２ａが開閉部４１に接触するに先立ち、覆部２０４の内天面２０４ａでロック用延出部４３０ｂを背部４０１に押込操作できるように開閉操作具１を構成すればよい。
【０１０２】
このようにすれば、筒状本体部２をフック部４０の基端部側から先端部側に向けてスライドさせたときに、内天面２０４ａによってロック用延出部４３０ｂが背部４０１に押し込まれる。
【０１０３】
これにより、ロックレバー４４と起立面４３０ｃとが横並びになっている状態からロックレバー４４と湾曲面４３０ｄとが横並びになっている状態に切り替えられた後、側部２０２の内側面２０２ａが開閉部４１に接触すると、開閉部４１は、ロックレバー４４でロック用延出部４３０ｂ（湾曲面４３０ｄ）を押し込みながら回転動作するため、フック開口部Ｇが開かれる。
【０１０４】
上記実施形態において、開閉操作具１は、棒状の開閉部４１を備えるフック４を遠隔操作の対象としていたが、例えば、図６に示すように、開閉部４１に対して前記横幅方向における外方に向けて延出する補助レバー４５が設けられたフック４を遠隔操作の対象としてもよい。
【０１０５】
上記実施形態において、延出片部２２は、挿入口Ｈ１周りにおいて、一方の側部２０２と他方の側部２０２とに一つずつ設けられていたが、この構成に限定されない。例えば、延出片部２２は、挿入口Ｈ１周りにおいて、連設部２０３に設けられていてもよい。
【０１０６】
上記実施形態において、特に言及しなかったが、操作具Ｔは、長手方向において伸縮可能に構成されたものであってもよい。
【０１０７】
上記実施形態において、取付部４０２は、着脱部３１に装着した操作具Ｔの軸線方向が前記縦方向に対応するように構成されていたが、この構成に限定されない。例えば、取付部４０２は、着脱部３１に装着した操作具Ｔの軸線方向が前記縦方向に交差する方向に対応するように構成されていてもよいし、筒状本体部２に対する操作具Ｔの向き（姿勢）を変更できるように構成されていてもよい。
【０１０８】
上記実施形態では、開閉操作具１とフック４とを別々に説明したが、開閉操作具１とフック４とを備えたフックセットとして用いられてもよいことは勿論である。
【符号の説明】
【０１０９】
１…開閉操作具、２…筒状本体部、３…連結部、４…フック、２０…カバー部、２１…開閉係合部、２２…延出片部、３０…ベース部、３１…着脱部、４０…フック部、４１…開閉部、４２…フック連結部、４３…規制構造、４４…ロックレバー、４５…補助レバー、２００…収容空間、２００ａ…筒内面、２０１…スリット、２０２…側部、２０２ａ…内側面、２０３…連設部、２０３ａ…内底面、２０４…覆部、２０４ａ…内天面、２２０…誘導面、４００…掛止部、４０１…背部、４０２…取付部、４３０…ロック操作部、４３０ａ…抜止板部、４３０ｂ…ロック用延出部、４３０ｃ…起立面、４３０ｄ…湾曲面、４３１…ロック構造、４３１ａ…被ガイド軸、４３１ｂ…溝孔、４３１ｃ…係合溝、４３１ｄ…スライド溝、Ｃ…構造物、Ｇ…フック開口部、Ｈ１…挿入口、Ｈ２…取出口、Ｏ…物品、Ｐ１…回転軸、Ｐ２…支軸、Ｓ…付勢部材、Ｔ…操作棒（絶縁操作棒）
【図１】
2018091384.tif 000003
【図２】
2018091384.tif 000004
【図３】
2018091384.tif 000005
【図４】
2018091384.tif 000006
【図５】
2018091384.tif 000007
【図６】
2018091384.tif 000008
【図７】
2018091384.tif 000009